(57)【要約】  本発明は上りリンク空間多重に対応するユーザ装置における再送信を制御するための方法及び装置に関する。本方法は、物理下りリンク制御チャネル上で少なくとも１つの伝送ブロックに対して有効な上りリンク許可を検出するステップ（１０２）と、許可が関連付けられていない少なくとも１つの伝送ブロックのような、少なくとも１つの伝送ブロックが無効化されていることを検出するステップ（１０３）と、少なくとも１つの無効化された伝送ブロックに対応する先の送信についての受信状態フィードバックチャネルでいずれの表示が受信されたかにかかわらず、当該少なくとも１つの無効化された伝送ブロックを、当該先の送信の肯定応答（ＡＣＫ）として解釈するステップと、を有する。【選択図】  図１Ａ
2013543696.tif 000002
【特許請求の範囲】
【請求項１】
上りリンク空間多重に対応するユーザ装置において再送信を制御する方法であって、
物理下りリンク制御チャネル上で、少なくとも１つの伝送ブロックに対して有効な上りリンク許可を検出するステップ（１０２）と、
許可が関連しない少なくとも１つの伝送ブロックのように、少なくとも１つの伝送ブロックが無効化されていることを検出するステップ（１０３）と、
前記少なくとも１つの無効化された伝送ブロックに対応する先の送信に対する受信状態フィードバックチャネルにおいていずれの表示を受信したかにかかわらず、当該無効化された伝送ブロックを、前記先の送信の肯定応答（ＡＣＫ）として解釈するステップ（１０６、１０６ｂ）と、
を有することを特徴とする方法。
【請求項２】
２つの前記検出するステップは、第１プロトコルレイヤで実行され、前記解釈するステップは、前記第１のプロトコルレイヤが、肯定応答（ＡＣＫ）の表示を第２のプロトコルレイヤへ運ぶこと（１０６）を含む、
ことを特徴とする請求項１に記載の方法。
【請求項３】
前記表示はＡＣＫ／ＮＡＣＫフラグをＡＣＫに設定するステップ（１０６）を含む、
ことを特徴とする請求項２に記載の方法。
【請求項４】
前記解釈するステップは、第２のプロトコルレイヤが、第１プロトコルレイヤから、空間的に多重することができるよりも少ない伝送ブロックについて有効な１つ以上の許可を受信すると、前記第１プロトコルレイヤから前記第２プロトコルレイヤへ許可が転送されていない伝送ブロックについての先の送信に対して、肯定応答（ＡＣＫ）が受信されたと仮定する（１０６ｂ）ことを含む、
ことを特徴とする請求項１に記載の方法。
【請求項５】
前記第１プロトコルレイヤは物理層であり、前記第２プロトコルレイヤは上位プロトコルレイヤである、
ことを特徴とする請求項２から４のいずれか１項に記載の方法。
【請求項６】
前記肯定応答は、上りリンクデータ伝送手順において、前記無効化された伝送ブロックに対応するＨＡＲＱ処理における入力として使用される、
ことを特徴とする請求項１から５のいずれか１項に記載の方法。
【請求項７】
再送信を制御するための、上りリンク空間多重に対応するユーザ装置における装置であって、
前記装置は、
物理下りリンク制御チャネル上で、少なくとも１つの伝送ブロックに対して有効な上りリンク許可を検出し（３３０）、
許可が関連しない少なくとも１つの伝送ブロックのように、少なくとも１つの伝送ブロックが無効化されていることを検出し（３４０）、
前記少なくとも１つの無効化された伝送ブロックに対応する先の送信に対する受信状態フィードバックチャネルにおいていずれの表示を受信したかにかかわらず、当該無効化された伝送ブロックを、前記先の送信の肯定応答（ＡＣＫ）として解釈する、
ように構成された回路を備える処理部（３２０）を有することを特徴とする装置。
【請求項８】
前記処理部（３２０）は、肯定応答（ＡＣＫ）の表示を第１のプロトコルレイヤから第２のプロトコルレイヤへ運ぶように構成される処理回路を備える、
ことを特徴とする請求項７に記載の装置。
【請求項９】
前記処理部（３２０）は、ＡＣＫ／ＮＡＣＫフラグをＡＣＫに設定するように構成される処理回路を備える、
ことを特徴とする請求項８に記載の装置。
【請求項１０】
前記処理部（３２０）は、第２のプロトコルレイヤにおいて、第１プロトコルレイヤから、空間的に多重することができるよりも少ない伝送ブロックについて有効な１つ以上の許可を受信すると、前記第１プロトコルレイヤから上位レイヤへ許可が転送されていない伝送ブロックに対応する先の送信に対して、肯定応答（ＡＣＫ）が受信されたと仮定するように構成される処理回路を備える、
ことを特徴とする請求項７に記載の装置。
【請求項１１】
前記第１のプロトコルレイヤは物理層であって、前記第２のプロトコルレイヤは上位プロトコルレイヤである、
ことを特徴とする請求項７から１０のいずれか１項に記載の装置。
【請求項１２】
前記処理部（３２０）は、上りリンクデータ伝送手順において、前記肯定応答を、前記無効化された伝送ブロックに対応するＨＡＲＱ処理における入力として使用するように構成される処理回路を備える、
ことを特徴とする請求項７から１１のいずれか１項に記載の装置。
【発明の詳細な説明】
【技術分野】
【０００１】
本発明は、上りリンクの空間多重に対応するユーザ装置における再送信の制御に関する。
【背景技術】
【０００２】
データ通信又はデータ記憶において、オリジナルのメッセージを再現することを可能とすることの信頼性を向上させるために、符号化による方法で冗長性を伴うデータを送信または記憶することが慣用されている。その処理は、通常、チャネル符号化と呼ばれ、そしてリカバリ処理はチャネル復号化と呼ばれる。以下では、このようなメッセージを、厳密には符号化される必要がなくても、符号語と呼ぶ。
【０００３】
例えば、第３世代パートナーシッププロジェクト（３ＧＰＰ）により標準化されているロングタームエボリューション（ＬＴＥ）のような通信システムにおいては、伝送条件に対して適応的に冗長性の程度を増加させる必要がある場合に、異なる送信時間間隔（ＴＴＩ）で同一の符号語に関するいくつかの伝送を組み合わせることも慣用されている。これは、例えば、より短い、符号化された又は符号化されていないメッセージを１回または数回繰り返すことによりなされうる。代わりに、最初の送信の試行において、好ましい条件下での正確な復号化に十分な情報を含む、符号語の部分を送信する方法がある。正確に受信及び復号されなかった場合、その符号語の追加の部分を続く試行において送信することができ、その後にその符号語の受信した部分を受信器側で再結合することができ、各再送信に対して増加する冗長性を与えることができる。そして、これは、各メッセージの伝送に、十分な、しかし必要より多くないリソースを使用することを確実にするのに役立ちうる。簡潔にするために、同一の符号語のその後に続く送信を、再送信されているのが符号語の全部でない場合もあるが、略して再送信と呼ぶ。１つの符号語により運ばれる情報ビットを伝送ブロック（ＴＢ）と呼ぶ。
【０００４】
先のメッセージが復号され、場合によっては（部分的に）再送信されるのを待つ間に、続く符号語の伝送が遅延しないように、同一の伝送ブロックの先の伝送が復号されることと送信側において受信される正確な／不正確な受信のメッセージ（肯定応答（ＡＣＫ）または否定応答（ＮＡＣＫ）メッセージ）とを待つ間に、異なる符号語のデータを含むバッファのセットを（再）送信のために読み出すことができる。これらのバッファは、通常、複合自動再送信要求（ハイブリッドＡＲＱ又はＨＡＲＱ）バッファと呼ばれ、それらの各々を制御する処理をＨＡＲＱ処理と呼ぶ。
【０００５】
ＨＡＲＱ再送信は、ＬＴＥプロトコル構造におけるレイヤ２（Ｌ２）の部分である媒体アクセス制御（ＭＡＣ）層により処理される。ＨＡＲＱフィードバック、すなわちＡＣＫ又はＮＡＣＫの表示は、レイヤ１とも呼ばれる物理層からＭＡＣ層へ信号伝達される。レイヤ２は、再送信または新しい送信を行うために、この情報をそのデータ伝送処理において使用する。
【０００６】
マルチアンテナ技術は、無線通信システムのデータレートと信頼性の少なくともいずれかを大幅に向上させることができる。送信器と受信器との両方に複数のアンテナが備えられている場合、特に性能が改善する。これは、多入力多出力（ＭＩＭＯ）通信チャネルをもたらし、そのようなシステムと、関連する技術との少なくともいずれかは、一般に、ＭＩＭＯ技術と呼ばれる。
【０００７】
１つのＭＩＭＯ技術は、空間多重（ＳＭ）、又はシングルユーザＭＩＭＯ（ＳＵ−ＭＩＭＯ）であり、そこでは、場合によってはチャネル・アダプティブ・プリコーダ（また、多くの場合線形プリコーダ）を介して、異なる伝送アンテナポートへ順にマッピングされる１つ又はいくつかのデータのレイヤに、１つの特定のユーザに関連する１つ又はいくつかの伝送ブロックが同時にマッピングされる。現在、ＬＴＥに対しては、１つ又は２つの伝送ブロックに対応する１つ又は２つの符号語が、１つ又はいくつかのレイヤのデータにマッピングされる。このように、好ましい条件下では、ＭＩＭＯチャネルの空間特性を同一のユーザに関するより多くのデータを同時に送信するのに利用することができ、ユーザデータスループットを増加させる。また、様々な理由で、追加の中間処理ステップがあってもよい。
【０００８】
ＬＴＥリリース１０（Ｒｅｌ．１０）では、ユーザ装置から基地局、又はＬＴＥの用語ではエボルブドノードＢ（ｅＮＢ）、への通信リンクである上りリンク（ＵＬ）は、単一入力単一出力（ＳＩＳＯ）への対応からＵＬ空間多重（ＵＬ−ＳＭ）へも対応するように拡張されている。
【０００９】
以前のリリース（Ｒｅｌ．８及びＲｅｌ．９）のように、物理下りリンク制御チャネル（ＰＤＣＣＨ）で送信される上りリンク送信許可を介して、ＵＬ送信がトリガされる。その一方で、再送信は、ＰＤＣＣＨで送信される完全許可（full grant）により、又は、対応する伝送ブロックに対するＰＤＣＣＨ許可が検出されなかった場合は、対応する符号語の以前の送信の試行の復号が失敗したことを表示する、物理ＨＡＲＱ表示チャネル（ＰＨＩＣＨ）上の否定応答表示、ＮＡＣＫにより、トリガされる。前者の再送信のタイプは、ＰＤＣＣＨ許可フォーマットが新しい伝送フォーマット（例えば、変調コンスタレーション及び符号化率）を特定することを可能とするため、通常、適応再送信（adaptive retransmission）と呼ばれる。後者のタイプの再送信は、以前の伝送のＰＨＩＣＨがＡＣＫ又はＮＡＣＫの表示のみを運び、ＵＥに新しい伝送フォーマットを使用するように命令するための他のシグナリングの実現性を与えないため、結果として、非適応再送信（non-adaptive retransmission）と呼ばれる。
【００１０】
ＬＴＥにおいては、ＵＬ同期ＨＡＲＱが採用され、これは、送信と再送信との間に固定のタイミング関係があり、したがって、ＴＴＩからＨＡＲＱ処理アイデンティティへの直接のマッピングがあるとともに、この情報がＵＬ許可に必要とされないことを意味する。したがって、ＰＤＣＣＨリソースが制限されている場合、基地局は、ＰＨＩＣＨ  ＮＡＣＫだけでＵＥにＵＬ再送信を許可することができ、そして、ＰＤＣＣＨで受信される許可と比べてレイヤ２（Ｌ２）リソースの関与を削減することができる。不利な点は、そのとき、リンクアダプテーション又は周波数選択再スケジューリングのような、伝送フォーマットの新しい情報をＵＥへ運ぶことができないことである。ＰＨＩＣＨチャネルの信頼性もまた、ＰＤＣＣＨ許可の信頼性と比べて低い。
【００１１】
また一方、ＬＴＥ下りリンク（ＤＬ）においては、非同期ＨＡＲＱが採用されており、ＤＬ（再）送信が特定のＤＬ  ＨＡＲＱ処理に関連することを指し示すために、明示的なＰＤＣＣＨ割り当てが必要とされる。したがって、ＤＬ空間多重に対しては、任意の符号語の再送信のための割り当てが常にある。
【００１２】
これは、ＬＴＥに対して、ＤＬ空間多重が設定される場合、ＵＥの物理層又はレイヤ１（Ｌ１）は、ＤＬ割り当てのためにＰＤＣＣＨを読み込み、下りリンク割り当てが検出された場合、さらに、その割り当てが１つ又は２つの伝送ブロックに対して有効であるかを検出することを意味する。これは、ＰＤＣＣＨシグナリングが伝送ブロックの１つ、例えばＴＢ１に対して割り当てを表示していない場合、ＵＥは、この伝送ブロックに対するデータのためには物理下りリンク共有チャネル（ＰＤＳＣＨ）を読み込まないことを意味する。しかしながら、ＴＢ２に対しては、ＵＥは、データを表す対応する符号語を検出するために、ＰＤＣＣＨに従ってＰＤＳＣＨを読み込む。そして、データはＬ２又は媒体アクセス制御（ＭＡＣ）層、及び復号のための適切なＨＡＲＱ処理へと転送される。
【００１３】
ＵＬ−ＳＭが設定される場合、ＵＥへは、各ＴＴＩに対して、１つ又は２つのＴＢに対して有効であるＵＬ許可が割り当てられうる。Ｌ１が、ＤＬ空間多重に対してなされるのと同様の方法で、明示的なＰＤＣＣＨシグナリングに基づいてその許可が１つ又は２つのＴＢに対して有効であるかを検出するだろうことを仮定する。伝送ブロックを無効にする理由は、ＵＥバッファが空でありうること、又はＭＩＭＯチャネルが複数のデータレイヤを運ぶことができる程度に十分に良好でないかもしれないこと、でありうる。
【００１４】
空間多重に対しては、１つ又は２つの伝送ブロックに対して有効な単一の許可の概念は、実質的に、それぞれ１つの伝送ブロックに対して有効な１つ又は２つの許可の概念と等価である。差異は語義のみであり、これからは、置き換えて同様に使用される。
【００１５】
現在の３ＧＰＰ  ＭＡＣ層の仕様の、ＵＬデータ伝送のための手順はＴＴＩごとに１つのＵＬ許可（またはＵＬ許可の欠如）のみを取り扱うことができ、したがって、１つの伝送ブロックにＵＬ許可が割り当てられ、その他の伝送ブロックには割り当てられていない場合の、ある複雑な問題が予期されうる。これらの２つのブランチは、現在の仕様では相互に排他的であるため、それぞれの伝送ブロックを別々に取り扱うこと、すなわち、Ｌ２が伝送ブロックごとに個別の許可を受信し、各伝送ブロックを別々のＨＡＲＱ処理と関連付けることを仮定することがより単純であろう。そのように、許可の受信手順があるＴＴＩと関連する各許可に対して一度ずつ繰り返されなければならない。
【００１６】
手順を各伝送ブロックに対して別々に実行することを仮定すると、ＵＬ許可を有さない１つの伝送ブロック、例えばＴＢ１と、ＵＬ許可を有する他の伝送ブロック、例えばＴＢ２の異なる場合に対して、異なる分岐を実行することができよう。
【発明の概要】
【発明が解決しようとする課題】
【００１７】
レイヤ１（Ｌ１）は、レイヤ２（Ｌ２）へ許可のみを転送し、許可がないことを送信しないため、有効な許可を伴う伝送ブロックの情報のみがＬ２へ転送され、有効な許可を伴わない伝送ブロックがスケジューリングされていたか又は無効化されていたかの情報は提供されない。そして、Ｌ２は、各伝送ブロックに対して、そのデータ伝送手順を開始する。伝送ブロックに対して許可が受信されている場合、その許可に基づいて、適応再送信または新しい送信が実行される。その他の場合、伝送ブロックに対する同一のＨＡＲＱ処理において、以前の伝送に対する否定応答表示（ＮＡＣＫ）が復号された場合、非適応再送信が実行される。伝送ブロックに対する同一のＨＡＲＱ処理において、以前の伝送に対する肯定応答（ＡＣＫ）が復号された場合、上述の伝送ブロックに対して上りリンク許可が受信されるまで、処理は講じられない。ＵＬにおいてどのように再送信が動作するかを考えると、再送信を表示するＮＡＣＫをＵＥが誤って検出するような、ＰＨＩＣＨ  ＡＣＫの誤った復号と相まって、伝送ブロックの１つに対する有効なＵＬ許可の欠如は、望ましくない挙動である非適応再送信を、ＵＥに実行させるだろう。その問題は２つの符号語のうちいずれか１つが無効化されている場合に生じると仮定できる。
【００１８】
特定のサブフレームと関連するＨＡＲＱ処理のために、物理層から、上位層、例えばレイヤ２へ上りリンク許可が供給されない場合、ＰＨＩＣＨ上のＨＡＲＱフィードバックは、ＨＡＲＱ処理が非適応再送信をそのサブフレームおいて実行すべきかを制御する。ＰＤＣＣＨが、例えば１つの伝送ブロックに対応する１つの符号語が無効化されたことに起因して、１つのＨＡＲＱ処理のみに対して許可を表示する場合、その他のＨＡＲＱ処理の制御は、ＰＤＣＣＨシグナリングよりも信頼性が低いＰＨＩＣＨシグナリングに基づく。そのような場合においては、ＵＥは、ＡＣＫであることを意図していたＰＨＩＣＨ上のＮＡＣＫを誤って復号する場合があり、その誤って復号されたＮＡＣＫに基づいて、その伝送ブロックのための非適応再送信を開始しうる。
【００１９】
このように、ＵＬにおける２つのタイプの再送信と、ＰＤＣＣＨ許可が適応再送信をトリガし、ＰＨＩＣＨ  ＮＡＣＫが非適応再送信をトリガすることを考えると、ＵＬ空間多重モードにおいて、（ＰＤＣＣＨにより命令されるように）１つのＴＢに対して適応再送信をするように、ＵＥに命令することは可能であるが、Ｌ２は中断され又は無効化されている他のＴＢについての明示的な情報を獲得していないため、Ｌ２はそのＴＢをＵＬ許可を得なかったものとして処理するだろう。このＴＢに対してＵＬデータ伝送手順を実行すると、そのとき、ＵＥは、ＰＨＩＣＨ上のＡＣＫを復号しないかもしれず、そして、、基地局が明示的にそれを必要としないと言っているかもしれないのにもかかわらず、上述の如く、そのＴＢに対して非適応再送信を開始しうる。
【００２０】
基地局は、１つ又は両方の伝送ブロックのスケジューリングを望むかにかかわらず、常に同一の量のＰＤＣＣＨシグナリングを実行しなければならず、適応再送信がよりよい性能を与えるだろう時に、意図的に１つの伝送ブロックのみをスケジューリングし、他の伝送ブロックが非適応再送信を実行することを望むであろうシナリオはないことが仮定される。ＰＤＣＣＨはＰＨＩＣＨより誤り率が非常に低いため、解決法は、ＰＤＣＣＨが特定の伝送ブロックに許可を割り当てないことを提示する場合であっても、この利点を取り込み、ＰＤＣＣＨ許可の割り当てがＰＨＩＣＨ  Ａ／Ｎ情報より優位になることを可能とし得る。
【００２１】
Ｌ１は、ＰＤＣＣＨから伝送ブロックが無効化されているか否かをすでに知っていると仮定されるため、ここで提示される解決法が特定する問題は、この情報がＬ２へ転送されず、不必要な非適応再送信という結果となり得るということである。
【００２２】
したがって、本発明は、ＵＥが、１つ以上の伝送ブロックに対して不測の非適応再送信を実行してしまうことを防ぐことを目的とする。
【課題を解決するための手段】
【００２３】
本発明の１つの態様においては、上りリンク空間多重に対応するユーザ装置において、再送信を制御するための方法が提供される。本方法は、
物理下りリンク制御チャネル上で、少なくとも１つの伝送ブロックに対して有効な上りリンク許可を検出するステップと、
許可が関連しない少なくとも１つの伝送ブロックのように、少なくとも１つの伝送ブロックが無効化されていることを検出するステップと、
前記少なくとも１つの無効化された伝送ブロックに対応する先の送信に対する受信状態フィードバックチャネルにおいていずれの表示を受信したかにかかわらず、当該無効化された伝送ブロックを、前記先の送信の肯定応答（ＡＣＫ）として解釈するステップと、
を含む。
【００２４】
特定の実施形態において、２つの前記検出するステップは、第１プロトコルレイヤで実行されてもよく、それにより前記解釈するステップは、前記第１プロトコルレイヤが肯定応答（ＡＣＫ）の表示を第プロトコルレイヤへ運ぶことを含む。特定の実施形態では、前記表示は、ＡＣＫ／ＮＡＣＫフラグをＡＣＫに設定するステップを含む。前記肯定応答は、上りリンクデータ伝送手順において、前記無効化された伝送ブロックに対応するＨＡＲＱ処理における入力として使用されてもよい。
【００２５】
前記第１プロトコルレイヤは物理層であってもよく、前記第２プロトコルレイヤは上位プロトコルレイヤであってもよい。
【００２６】
本発明のもう１つの態様において、上りリンク空間多重に対応するユーザ装置における再送信を制御するための装置が提供される。本装置は、
物理下りリンク制御チャネル上で、少なくとも１つの伝送ブロックに対して有効な上りリンク許可を検出し、
許可が関連しない少なくとも１つの伝送ブロックのように、少なくとも１つの伝送ブロックが無効化されていることを検出し、
前記少なくとも１つの無効化された伝送ブロックに対応する先の送信に対する受信状態フィードバックチャネルにおいていずれの表示を受信したかにかかわらず、当該無効化された伝送ブロックを、前記先の送信の肯定応答（ＡＣＫ）として解釈する、
ように構成される回路を備える処理部を含む。
【発明の効果】
【００２７】
したがって、特定の実施形態において、Ｌ１が、ＴＢが（ＰＤＣＣＨシグナリング又はある他の方法に基づいて）無効化されたことを検出すると、Ｌ１は、このＴＢに対するＰＨＩＣＨの表示によらず、Ａ／Ｎ（ＡＣＫ／ＮＡＣＫ）ビットをＡＣＫに設定することができる。
【００２８】
そのようにして、１つのＴＢが適応再送信のための許可を有しており他のＴＢが有さない場合にＵＬデータ伝送手順が実行されるとき、許可を有さないＴＢが、図らずも非適応再送信を引き起こさなくなるだろう。
【００２９】
本発明の他の目的、利点及び新しい特徴は、この説明を添付の図面及び特許請求の範囲と併せて読むことから明らかとなるであろう。
【００３０】
本発明の前述のそして他の目的、特徴及び利点は、図面に示されるようにこの詳細な説明から明らかとなるであろう。
【図面の簡単な説明】
【００３１】
【図１Ａ】本発明の実施形態を図解するフローチャート。
【図１Ｂ】本発明の実施形態を図解するフローチャート。
【図２Ａ】上りリンク空間多重のための様々なシナリオを示す図。
【図２Ｂ】上りリンク空間多重のための様々なシナリオを示す図。
【図３】本発明の実施形態による装置を概略的に図解する図。
【図４】本発明の実施形態による装置を別の方法で図解する図。
【発明を実施するための形態】
【００３２】
以下の説明では、説明の目的であって限定の目的ではなく、本発明を完全に理解するために、特定の構造、インタフェース、技術などのような、具体的な詳細を説明する。しかしながら、当業者には、本発明がこれらの具体的な詳細から離れた他の実施形態において実現されうることは明らかであろう。他の例では、よく知られた装置、回路、及び方法の詳細な説明は、本発明の説明を不必要な詳細で不明りょうとしないように、省略される。
【００３３】
この開示において３ＧＰＰ  ＬＴＥからの専門用語が本発明を例示するために使用されているが、これは、本発明の範囲を前述のシステムのみに制限するものとみなされるべきでないことに留意すべきである。広帯域符号分割多元接続（ＷＣＤＭＡ）、ＷｉＭａｘ、ＵＭＢ及びＧＳＭ（登録商標）を含む他の無線システムもまた、この発明の実施形態から恩恵を受けることができる。
【００３４】
また、基地局及びＵＥのような専門用語は、限定されずに考えられるべきであり、特にそれらの２つの間のある階層的な関係を意味しないことに留意すべきである。一般に、「基地局」を装置１、そして「ＵＥ」を装置２、のように考えることができ、これらの２つの装置は無線チャネルを介して互いに通信する。さらに、本発明の実施形態の以下の説明において、物理プロトコルレイヤをレイヤ１と呼び、上位プロトコルレイヤをレイヤ２と呼ぶ。しかしながら、この発明は、レイヤ１又はレイヤ２に限定されない。
【００３５】
以下では、本発明の適切な適用法について詳細に説明するために、本発明の実施形態が議論される。
【００３６】
特定の実施形態による方法の説明を図１Ａに見ることができる。Ｎ個の符号語を別々に多重化することができるように、Ｎ個の伝送ブロックを伴って構成されるＵＬ−ＳＭモードにおいて、ＵＥが下りリンクのサブフレームを受信すると、ＰＤＣＣＨが読み込まれ（ステップ１０１を参照）、特定のＴＴＩに対して少なくとも１つの伝送ブロックのための少なくとも１つのＵＬ許可を表示するＰＤＣＣＨメッセージが、ステップ１０２において検出される。このＴＴＩに対して、構成された伝送ブロックのそれぞれのための１つの許可が検出された場合（ステップ１０３参照）、ステップ１０４において、それぞれの伝送ブロックに対して、Ｎ個の許可がレイヤ２へ転送され、そこで、各伝送ブロックに対するレイヤ２ＵＬデータ伝送のための手順が繰り返され、又は開始され（ステップ１０５）、それにより、関連する許可に従った適応再送信または新しい符号語の送信に至る。特定の実施形態では、Ｎ＝２である。しかしながら、Ｎは２より大きい数であってもよい。
【００３７】
ステップ３で、特定のＴＴＩについて、Ｎ個の伝送ブロックに対してＫ個（０＜Ｋ＜Ｎ）の許可のみが検出された場合（ステップ１０３参照）、例えば、特定のＴＴＩについて、単一の伝送ブロックに関連する１つの許可のみが検出された場合、仮に例えばＴＢ１について許可が検出されＴＢ２について検出されない（もちろんＴＢ１とＴＢ２は交換可能である）としたら、無効化された伝送ブロック、すなわち、許可が検出されなかった伝送ブロックは、その無効化された伝送ブロックに対応する先の送信に対する肯定応答（ＡＣＫ）が受信されたように解釈されるべきである。この特定の実施形態によれば、これは、レイヤ１が、先の送信に対するＰＨＩＣＨの表示に関わらず、当該先の送信のための関連するＡＣＫ／ＮＡＣＫフラグをＡＣＫに設定し（ステップ１０６）、例えばＴＢ１のための有効な許可をレイヤ２へ転送し（ステップ１０７）、それが各伝送ブロックに対するレイヤ２データ伝送手順を繰り返し、又は開始する（ステップ１０５参照）ようにしてなされる。有効な許可を有する伝送ブロック、例えばＴＢ１に対しては、これは、関連する許可に従って、適応再送信または新しい符号語の送信をもたらす。許可を有しないあらゆる伝送ブロック、例えばＴＢ２に対しては、Ａ／ＮフラグがＡＣＫに設定されるため、非適応再送信は発生しない。
【００３８】
下りリンクの受信において適応再送信または新たな送信を表示する許可が検出されなかった場合、そして、対応する１つ又は複数の伝送ブロックに対する先の送信ＡＣＫと任意の符号語を伴うＰＨＩＣＨが復号されなかった場合、レイヤ１は、対応する１つ又は複数の伝送ブロックに対して、ＡＣＫ／ＮＡＣＫフラグをＮＡＣＫに設定し、これをＬ２に転送し（ステップ１０８参照）、これは、対応する符号語に対して、所望の、又は所定の最大数の送信がなされない限り、非適応再送信を開始する（ステップ１０５参照）。
【００３９】
上述の方法は、３ＧＰＰ規格の仕様書に対してわずかばかりの影響を与える。レイヤ２上のデータ伝送手順は変更されずに、各許可に対してただ開始され又は繰り返される。両方の許可がないことは、さらに、非適応再送信がなされるべきかを判定するために、ＡＣＫ／ＮＡＣＫが読み込まれることを意味する。
【００４０】
上述の例示の方法は、各伝送ブロックに対する別々の許可及び各伝送ブロックに対する別々のＨＡＲＱ処理の仕様を用いたが、別の方法では、１つ又は２つの伝送ブロックに対処する単一の許可及び２つの符号語バッファを管理する１つのＨＡＲＱ処理の仕様を用いることができる。両方の方法の実際的な結果は同一となるであろう。
【００４１】
レイヤ１が、上位レイヤに運ばれるべき有効な許可を有さない伝送ブロックに対してＡＣＫを設定する代わりに、その上位レイヤ、例えばレイヤ２が、物理層により許可が上位レイヤへ転送されなかった伝送ブロックについて、先のＴＴＩにおける送信に対するＡＣＫが受信されたと仮定する、もう１つの実施形態を図１Ｂに示す。この仮定は、例えば、ＵＬデータ伝送手順を実行する前に、有効な許可を有さないあらゆる伝送ブロックに対するＡＣＫ／ＮＡＣＫフラグをＡＣＫに設定することによりなされてもよい（ステップ１０６ｂ参照）。この実施形態を図１Ｂに示す。図１Ｂにおいては、ステップ１０１、１０２、１０５及び１０８は、図１Ａのものと同一である。ステップ１０４ｂにおいて、有効な許可がレイヤ１によりレイヤ２へ転送される。ステップ１０６ｂでは、レイヤ２は、レイヤ１から許可が転送されていない任意の伝送ブロックを無効と仮定する。特定の実施形態では、レイヤ２における機構は、受信状態フィードバックが何であるか、すなわちその機構がレイヤ１からＡＣＫ又はＮＡＣＫのどちらを受信したかによらず、ステップ１０７ｂにおいてＡＣＫ／ＮＡＣＫフラグをＡＣＫに設定する。その後、ステップ１０５において、ＵＬデータ伝送手順が各伝送ブロックに対して実行される。
【００４２】
さらに図１Ｂを参照して、もう１つの実施形態では、レイヤ２は、ステップ１０６ｂでＬ１から許可が転送されていない任意の伝送ブロックを無効と仮定した後に、関連する許可を有する伝送ブロックのみに対してＵＬデータ伝送手順を実行し（ステップ１０９参照）、これは、この実施形態において、レイヤ２はレイヤ１からのいかなるＡＣＫ／ＮＡＣＫ表示をも読み込まないであろうことを意味する。許可に関連する伝送ブロックに対しては、これは、その関連する許可に従った適応再送信または新しい符号語の送信を引き起こす。許可を有さない１つ以上の伝送ブロックに対して、Ｌ２からは再送信は開始されない。このような実施形態では、ＨＡＲＱ処理は、許可を受信したかを互いに通信してもよく、許可を受信していないＨＡＲＱ処理は、他のＨＡＲＱ処理が、あるＴＴＩについて許可を受信している場合は、それ自身を停止してもよい。検出された許可がない場合、Ｌ１はＰＨＩＣＨでＮＡＣＫが検出されたＴＢに対して非適応再送信を実行する（ステップ１０８参照）。
【００４３】
本発明の実施形態の応用についても、図２Ａ及び図２Ｂを参照して説明する。図２Ａは、本発明を用いない従来技術の場合１〜３を図解し、図２Ｂは、本発明が適用される場合４及び５を図解している。これらの場合において、２つの伝送ブロックＴＢ１及びＴＢ２は空間的に多重化することができるものとする。
【００４４】
場合１
時刻１において、ＴＢ１における以前のＵＬ送信に関するＰＨＩＣＨ上でＡＣＫがシグナリングされる場合に、ＵＥはＴＢ１に対するＡＣＫを復号する。同時に、時刻１における新しい送信のためのＵＬ許可を、ＰＤＣＣＨ上で受信する。また、ＵＥは、ＮＡＣＫがシグナリングされた場合にはＮＡＣＫを復号し、そして同時に、時刻２における、不成功に終わった符号語の適応再送信がＰＤＣＣＨ上で許可される。ＴＢ２に対して、同一の２つの選択肢のうち１つが生じる。時刻１における許可に応じた伝送フォーマット適応伝送（新たなまたは再送信）は、その後、時刻２において、ＰＵＳＣＨ上で送信される。ＴＢ１に対しては、時刻１及び時刻２と同一の選択肢が、時刻３及び時刻４について生じる。しかしながら、時刻ＴＢ２におけるＴＢ２の送信は、時刻３において肯定応答を受けるが、例えば、ＵＥバッファが空でありうること、又は複数のレイヤを扱うにはＭＩＭＯチャネルが十分に良好でないと考えられることといった、ある理由により、又は他のスケジューリングの決定に起因して、新しい送信がＴＢ２に対してはスケジュールされない。したがって、時刻４において、ＴＢ１については、時刻３におけるそのＰＤＣＣＨの許可に従って新たな送信または再送信があるが、ＴＢ２については送信／再送信がなされない。
【００４５】
場合２
上述の場合１と同一の選択肢が時刻１及び時刻２に対して生じる。しかしながら、この場合、２つのＴＢの送信はいずれも結果として受信成功せず、両方について時刻３で否定応答を受ける。しかしながら、新しい許可はなく、例えば、２つの符号語の適応再送信を命令するためにＰＤＣＣＨリソースが十分になく、したがって、ＵＥは、時刻４において非適応再送信を実行するようにＮＡＣＫを解釈する。
【００４６】
場合３
この場合もやはり、上述の場合１と同一の選択肢が時刻１及び時刻２に対して生じる。この場合、時刻２における２つのＴＢの１つの送信が失敗する。ここで、複数の伝送ブロックの１つのみ、例えばＴＢ１が時刻３においてＰＤＣＣＨ上でＵＬ許可を受信する。このＴＢが時刻２において無事に復号された場合、時刻４における新しい送信がその許可によりトリガされるか、対応するＴＢの先の送信が適応再送信許可を引き起こす失敗であった場合に時刻４における適応再送信がトリガされる。しかしながら、ＮＡＣＫを受信するが許可を受信しない、図２ＡではＴＢ２と呼ぶ他方のＴＢは、非適応再送信を実行するだろう。ここで、ＴＢ１に対する１つだけの許可の目的は、例えば劣悪なチャネル状態に起因してその他のＴＢ（ＴＢ２）を無効化したいことであり、より良好なチャネル状態が適用されるまで再送信を中断することであったとすると、これらの２つの場合を識別することは可能ではなく、ＴＢ２は、好ましくないことに、Ｌ２の開始される非適応再送信に従うこととなるだろう。そして、ＴＢ１に対する許可の情報、例えばプリコーダランクも、ＴＢ２の再送信に使用する非適応伝送フォーマットと衝突しうることに留意すべきである。
【００４７】
場合４
ここで、上述の場合１におけるＴＢ２に対するＡＣＫが誤ってＮＡＣＫと解釈されたと仮定すると、現在の標準によれば、対応する符号語の非適応再送信が誤ってトリガされるだろう。
【００４８】
場合５
本発明の実施形態による、場合３及び４の誤りに対する解決法は、ＴＢの無効化を、上位レイヤへのＡＣＫと解釈することであり、これは、この例では、この場合のように、ＰＨＩＣＨの表示に関わらず、単一のＴＢに対する有効な許可が、有効な許可を伴わないＴＢに対するＡＣＫを常に意味するようにすることを意味する。これは、適応再送信または新たな送信と同時に非適応再送信をトリガするのに、場合３が用いられえないことを意味する。実際、適応再送信は、新たな送信または他のＴＢの適応再送信と共に使用される。ＰＨＩＣＨの誤った解釈に起因して、誤って非適応再送信が実行されるリスクは避けられる。ＰＤＣＣＨ上での明示的な許可がすでに１つのＴＢのために使用されている場合、その他のＴＢに対しても許可を用いるオーバヘッドは、非常に限定的になるか存在しない。さらに、適応再送信の性能は非適応再送信よりも良好である。
【００４９】
場合５における２つの最下部の図は、他のＴＢのための新たな送信または適応再送信を行いながら、送信の不成功に起因して１つのＴＢを再送信したい場合（図２Ａの場合３を参照）に、どのようにシグナリングを行うかを示している。本発明を用いると、ＰＤＣＣＨ上の単一の許可が、ＰＨＩＣＨ受信にかかわらずＴＢ２に対するＡＣＫを意味するため、場合３に示されるようなＰＨＩＣＨ及びＰＤＣＣＨの内容はＴＢ２の無効化となり、したがって、図２Ｂの下から２番目の部分図は削除される。失敗に終わったＴＢの再送信を達成するために、その他のＴＢについて同様に明示的に許可し、（ＰＤＣＣＨの負荷は単一のＴＢ許可または２つのＴＢ許可について同一であるように）適応再送信を獲得する。このように、ＰＤＣＣＨがＰＨＩＣＨに優先する（原理的にはＰＨＩＣＨが送信される必要がない）ので、ＰＨＩＣＨ上で何が送信されているかは問題ではなく、ＡＣＫの復号の失敗はＮＡＣＫと解釈され、復号された（誤りがある又はない）ＡＣＫは、適応再送信に対するＰＤＣＣＨ許可を支持して無視されるだろう。
【００５０】
このように、本発明の実施形態は、通信システムを、実質的に実装のコストなく、意図せずに生じる非適応再送信を防ぐことにより、より安定させる。
【００５１】
図３は、例えばＰＤＣＣＨ及びＰＨＩＣＨを読み込むために構成される受信部３１０を含む、本発明によるユーザ装置における装置を概略的に図解している。装置３００は、さらに、少なくとも１つの伝送ブロックに対して有効なＰＤＣＣＨ上の許可を検出し（３３０）、許可が関連しない少なくとも１つの伝送ブロックのように、少なくとも１つの伝送ブロックが無効であることを検出し（３４０）、伝送ブロックのための受信状態フィードバックチャネル、例えばＰＨＩＣＨの表示に関わらず、少なくとも１つの無効化された伝送ブロックを肯定応答メッセージＡＣＫの受信として解釈する（３５０）ように構成される処理部３２０を含む。装置３００は、また、情報を送信するために構成される送信部３６０を含む。処理部３４０が１つ以上の適切にプログラムされた、電子プロセッサ又は回路でありうると共に、受信部３１０と送信部３６０は、ＬＴＥチャネル及び信号のような、特定の通信システムに適合した信号を取り扱うことが理解されるだろう。
【００５２】
図４は、装置３００を別の方法で概略的に示している。装置４００は、入力部４１０並びに出力部４２０、及び単一のユニットまたは複数のユニットでありうる処理部４３０を備える。装置４００は、さらに、不揮発性コンピュータ可読媒体、例えばＥＥＰＲＯＭ、フラッシュメモリ及びディスクドライブ、の形式で少なくとも１つのコンピュータプログラム媒体４００を含む。コンピュータプログラム媒体は、実行すると処理部４３０に図１Ａ並びに図１Ｂ及び図３と併せて上述した手順のステップ実行させるプログラム命令を備えるコンピュータプログラム４５０を含む。
【００５３】
コンピュータプログラム４５０におけるプログラム命令又はコード手段は、有利には、少なくとも１つの伝送ブロックに対する上りリンク許可を検出するためのモジュール４５０ａと、少なくとも１つの伝送ブロックが無効化されていることを検出するためのモジュール４５０ｂと、少なくとも１つの無効化された伝送ブロックを肯定応答メッセージＡＣＫの受信と解釈するためのモジュール４５０ｃとを有する。したがって、コンピュータプログラムモジュールにおいて構造化されたコンピュータプログラムコードとして、プログラム４５０を実装することができる。上で参照したモジュールは、実質的に、図３における処理部により実行されるステップを実行する。換言すれば、様々なモジュールが処理部で実行される場合、それらは、図１Ａ並びに図１Ｂ及び図３で説明される、構成されたステップに対応する。
【００５４】
図４により図解される実施形態におけるプログラム４５０を、処理部で実行するときに処理部に上述の図と併せて上で説明したステップを実行させる、コンピュータプログラムモジュールとして実装することができるが、別の実施形態において、１つ以上少なくとも部分的に、ハードウェア回路として、コード手段４５０を実装することができる。
【００５５】
本発明は、もちろん、本発明の基本的な特性から逸脱することなく、ここで具体的に説明したもの以外の方法で実行されてもよい。提示された実施形態は、あらゆる点で、説明のためであり制限のためでないと考えられるべきである。
【図１Ａ】
2013543696.tif 000003
【図１Ｂ】
2013543696.tif 000004
【図２Ａ】
2013543696.tif 000005
【図２Ｂ】
2013543696.tif 000006
【図３】
2013543696.tif 000007
【図４】
2013543696.tif 000008
【国際調査報告】
2013543696.tif 000009
2013543696.tif 000010
2013543696.tif 000011